(57)【要約】【課題】埋没した第三大臼歯を直立させるロングアームタイプ臼歯アップライトスプリングの構造を提供する【解決手段】  舌側溝レスト及びアーチ、頬側部品レスト、再活性化エリア、てこ及びカーブで構成するロングアームタイプ臼歯アップライトスプリングであり、前記舌側溝レストは、スプリングを第二大臼歯の舌側溝に固定し、前記アーチは第二小臼歯の周りに固定及び定置付けの補助をする。前記頬側部品レストは、第二大臼歯の頬側に固定する部品であり、再活性化エリアとは第二大臼歯から第二小臼歯の間のエリアを指し、てこで第三大臼歯に力を施す。カーブは第二大臼歯噛み合わせ面と第三大臼歯の噛み合わせ面の相隣壁から進入し、埋没した第三大臼歯の根元で固定する。【選択図】  図１
0003140446.tif 000002
【実用新案登録請求の範囲】
【請求項１】
舌側溝レスト及びアーチ、頬側部品レスト、再活性化エリア、てこ及びカーブを含み、
前記舌側溝レストは、スプリングを第二大臼歯の舌側溝に固定し、及び、
前記アーチは第二小臼歯の周りに固定及び定置付けの補助をし、及び、
前記頬側部品レストは、第二大臼歯の頬側に固定する部品であり、
前記再活性化エリアとは第二大臼歯から第二小臼歯の間のエリアを指し、及び、
前記てこは第三大臼歯に力を施し、及び、
前記カーブは第二大臼歯噛み合わせ面と第三大臼歯の噛み合わせ面の相隣壁から進入し、埋没した第三大臼歯の根元で固定することを特徴とする埋没した第三大臼歯を直立させるロングアームタイプ臼歯アップライトスプリングの構造。
【請求項２】
前記カーブは本体部分及び複数個の接触端を含み、該接触端は本体部分と接続することを特徴とする請求項1記載のロングアームタイプ臼歯アップライトスプリングの構造。
【請求項３】
前記カーブは本体部分及び複数個の接触端を含み、該接触端は本体部分と一体成型することを特徴とする請求項1記載のロングアームタイプ臼歯アップライトスプリングの構造。
【請求項４】
前記カーブは本体部分及び複数個の接触端を含み、該接触端は本体部分と溶接で接続することを特徴とする請求項1記載のロングアームタイプ臼歯アップライトスプリングの構造。
【考案の詳細な説明】
【技術分野】
【０００１】
本考案は、ロングアームタイプ臼歯アップライトスプリングの構造に関し、特に、てこの原理を利用し、迅速に成型でき、時間及び材料のロスを節約できるロングアームタイプ臼歯アップライトスプリングの構造に関する。
【背景技術】
【０００２】
統計(台湾)によると、３％の人が上あごの第一大臼歯に方向異常埋没歯が生えている。また、殆どの下あご第二大臼歯或いは第三大臼歯の埋没歯の原因は、患者が矯正治療を受けるとき、下あごの第二大臼歯はAnchorage Preparationにより後方に傾斜する、或いは歯自身の状態に問題がある、或いは歯の弓の長さが足りないために、第二臼歯或いは第三大臼歯に方向異常埋没歯の現象が発生する。
【０００３】
一般的に傾斜した臼歯の状態がひどくない場合、黄色の銅線で大臼歯を遠心側(即ち歯茎の後方)に移動させる、或いはエレベーター(elevator)を使って傾斜した臼歯を直立させる。歯科技術の進歩により、鋼線或いはバンドを利用して臼歯を直立、矯正するようになった。
【０００４】
臨床では頻繁に見られる埋没した大臼歯は、歯茎の組織の破壊を招きやすく、虫歯の発生及び歯のアーチに影響をきたしやすい。また、大臼歯エリアの防湿の処理が難しく、矯正部品の粘着効果が悪く、また矯正バンドの装置も難しい。
【０００５】
上記の状況を鑑みて、本考案の考案者は嘗て簡易的なステンレス製材料で作られたロングタイプの臼歯アップライトスプリングを考案した。第一のてこ原理を利用し、大臼歯の防湿処理不当により、矯正部品の粘着不良の欠点を克服し、臨床実験でも、臼歯の傾斜程度により、２〜５週間以内に直立させる効果が得られている。詳細内容はアメリカの特許申請案第5720611号に掲載している。
【０００６】
しかし、前述特許製品を使用する際、医師の経験不足により、ステンレス線をセッティングする過程において、患者の組織に傷をつけてしまうため、更なる改善が必要であった。
【特許文献１】USP5720611号公報
【考案の開示】
【考案が解決しようとする課題】
【０００７】
本考案の主な目的は、正常歯と傾斜歯の噛み合わせ面の相隣面に差し込んで固定することで、傾斜歯を直立させる目的に達するロングアームタイプの臼歯アップライトスプリングの構造を提供することにある。
【課題を解決するための手段】
【０００８】
上述の課題を解決するために、本考案はロングアームタイプ臼歯アップライトスプリングの構造を提供するものであり、舌の溝レスト(lingual groove rest)を含み、スプリングが第二大臼歯の舌側溝に固定する。アーチは第二小臼歯の周りに固定及び定置付けの補助をする。頬側部品レストは、第二大臼歯の頬側に固定する部品である。再活性化エリアとは第二大臼歯から第二小臼歯の間のエリアを指す。てこで第三大臼歯に力を施す。カーブは第二大臼歯噛み合わせ面と第三大臼歯の噛み合わせ面の相隣壁から進入し、埋没した第三大臼歯の根元で固定する。
【０００９】
すなわち、請求項１の考案は、舌側溝レスト(lingual groove rest)及びアーチ、頬側部品レスト(buccal bracket rest)、再活性化エリア(reactivating area)、てこ及びカーブを含み、前記舌側溝レストは、スプリングを第一大臼歯の舌側溝に固定し、及び、前記アーチは第二小臼歯の周りに固定及び定置付けの補助をし、及び、前記頬側部品レストは、第一大臼歯の頬側に固定する部品であり、前記再活性化エリアとは第一大臼歯から第二小臼歯の間のエリアを指し、及び、該てこは第三大臼歯に力を施し、及び、該カーブは第二大臼歯噛み合わせ面と第三大臼歯の噛み合わせ面の相隣壁から進入し、埋没した第三大臼歯の根元で固定することを特徴とする埋没した第三大臼歯を直立させるロングアームタイプ臼歯アップライトスプリングの構造である。
【００１０】
請求項２の考案は、前記カーブは本体部分及び複数個の接触端を含み、該接触端は本体部分と接続することを特徴とする請求項1記載のロングアームタイプ臼歯アップライトスプリングの構造である。
請求項３の考案は、前記カーブは本体部分及び複数個の接触端を含み、該接触端は本体部分と一体成型することを特徴とする請求項1記載のロングアームタイプ臼歯アップライトスプリングの構造である。
請求項４の考案は、前記カーブは本体部分及び複数個の接触端を含み、該接触端は本体部分と溶接で接続することを特徴とする請求項1記載のロングアームタイプ臼歯アップライトスプリングの構造である。
【考案の効果】
【００１１】
本考案の舌側溝レストやアーチ、頬側部品レスト、再活性エリア、てことカーブなどの設置により、(1)設置が便利、(2)組織を傷つけない、(3)相同な効果に達する変化型臼歯アップライトスプリングを提供する。
【考案を実施するための最良の形態】
【００１２】
本考案の好適な埋没した第三大臼歯を直立させるロングアームタイプ臼歯アップライトスプリングの構造の実施例を図面に沿って説明する。
図１に示すのは、本考案の実施例のロングアームタイプ臼歯アップライトスプリング１の略図である。
該ロングアームタイプ臼歯アップライトスプリング1はステンレス糸22で作られた0.018、0.020、0.022インチなど異なる直径に作られている。該ロングアームタイプ臼歯アップライトスプリング1は、下記のものが含まれている。
(Ａ)該ロングアームタイプ臼歯アップライトスプリング1を第二大臼歯31の舌側溝で支える舌側溝レスト11；(Ｂ)第二小臼歯34の周りに固定及び定置付けの補助をするアーチ16；(Ｃ)該ロングアームタイプ臼歯アップライトスプリング1を第二大臼歯31の内頬部品で支える頬側部品レスト13；(Ｄ)再活性化エリア14とは、第二大臼歯31から第二小臼歯34までの間のエリア；(Ｅ)てこ15、埋没歯の第三大臼歯32に力が施される；及び(Ｆ)カーブ12、これは第二大臼歯31の噛み合わせ面と埋没歯の第三大臼歯32の噛み合わせ32の間にある相隣壁に挿入し、埋没歯の第三大臼歯32の根元で固定する。
【００１３】
本考案の実施例のロングアームタイプ臼歯アップライトスプリング1は、第一てこの原理を利用している。元の臼歯の一部が埋没し、近心側の牙冠が露出した状況の下、独特なロングアームタイプのアップライトスプリングを使っての矯正により、該臼歯傾斜の状況に基づき、正確且つ適度な締め付けをすることができる。
【００１４】
図２〜図５に示すように、カーブ12は多種の変化形を持つ。該図式の中で、カーブ12は本体部分120及び複数個の接触端121が接続して形成している(図２参照、カーブ12は接触端121を設置しなくても良い)。該本体部分120は第二大臼歯31の噛み合わせ面と埋没した第三大臼歯32の噛み合わせ面の相隣壁より進入し、接触端121を第三大臼歯32の根元に固定する。該接触端121は該本体部分120と溶接方法で接続するほか、模型造りの時点で一体成型することができる。
【００１５】
図６に示すのは、ロングアームタイプアップ臼歯ライトスプリング1を使用し、埋没臼歯の矯正を行う際に必要な道具：
結紮線 21；
0.018、0.020、0.022インチのステンレス糸 22；
カーブ成型ペンチ 23；
139号矯正ペンチ 24と 25；
結紮ペンチ 26；
糸切りペンチ 27；及び
持針器 28  などを含む。
【００１６】
本考案の実施例によるロングアームタイプ臼歯アップライトスプリングの構造を明確に示し、大臼歯の臨床実験の矯正プロセスの実施例を図に沿って詳細な説明を行う。
図７に示すように、レントゲンの第二大臼歯31の下側溝から埋没の第三大臼歯32の近心側(歯茎の前方側を指す)までの輪郭の、最高点以下一ミリの長さを量る
【００１７】
図８に示すように、模型にて第二大臼歯31の舌側面から頬の側面までの幅Bを量る；
139号矯正ペンチでステンレス糸22を図１に示す形状に成型する。
A’は舌側溝レスト11の最も突出した箇所と、カーブ12の最も突出した箇所との距離を示している。B’はカーブ12の始まりの端と頬側部品レスト13との距離を示し、ステンレス糸22の成型がA=A’、B=B’になるようにする。仮にA<A’の場合、スプリングが簡単に接触エリアから外れやすくなる。
【００１８】
持針器28で「カーブ12」を挟み、患者の第二大臼歯31の噛み合わせ面と埋没の第三大臼歯32の噛み合わせ面の間の相隣壁より、図９に示すように挿入し、「てこ１５」を図１０と図１１に示すように139号矯正ペンチで引っ張り出してから埋没の第三大臼歯32の根元に固定し、図１２に示すように、ロングアームタイプ臼歯アップライトスプリングの舌側溝レスト11が正確に第二大臼歯31に位置づけできるようにする。
【００１９】
図１３に示すように、てこ15を犬歯35部品の歯茎に近い側にくくりつけ、余分のステンレス糸22を切り取る。
犬歯35及び第二大臼歯31の間に一部盛り上がる場所を形成し、患者の噛み合わせが悪くなった場合、カーブ成型ペンチ23で改善することができる。図１４及び図１５では、盛り上がりを改善する過程を説明している。図１６に示すのは、カーブ成型ペンチ23を使用すると、該ロングアームタイプ臼歯アップライトスプリングの盛り上がりエリアが消失すると同時に、該アップライトスプリングの力を、患者の臼歯の状況に基づき、再活性化エリア14で該機能を強化する。該状況は図１７(活性化前)及び図１８(活性化後)を参照。
【００２０】
前述(1)〜(6)項の正確な矯正プロセスの下で、臼歯を矯正する患者が約2〜5週という短期間の矯正期間で、満足のする第三大臼歯32の矯正効果が見られる(図１９を参照)。図２０に示す矯正前の臼歯排列状況及び、矯正後の臼歯排列状況を見ても、矯正前後は大きな差異が生じているところからも、本考案のアップライトスプリングの臼歯矯正において、良好な効果を発揮しているのが分かる。
【００２１】
アップライトスプリング1が第二大臼歯31及び犬歯35部品の間に、固定するために生じる引っ張る力による副作用を減少するために、メイン糸は0.018X0.025の糸を使用した方が良い。全ての部品をくくり付けて、良好なるAnchorage Preparationを形成する。直立した歯は矯正バンドを粘着してから再度その角度を調整しても良い。初めてアップライトスプリングの治療を受ける際は、局部麻酔を施し、医師が熟練した後は、麻酔を省くこともできる。
【００２２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【図面の簡単な説明】
【００２３】
【図１】本考案の実施例のロングアームタイプ臼歯アップライトスプリングの外観構造図である。
【図２】本考案の実施例のロングアームタイプ臼歯アップライトスプリングの変化例である。
【図３】本考案の実施例のロングアームタイプ臼歯アップライトスプリングの他の変化例である。
【図４】本考案の実施例のロングアームタイプ臼歯アップライトスプリングの更に他の変化例である。
【図５】本考案の実施例のロングアームタイプ臼歯アップライトスプリングの更に他の変化例である。
【図６】本実施例で使用する器材などのツール類である。
【図７】一部埋没臼歯の側面図である。
【図８】第二大臼歯俯瞰図である。
【図９】舌側から観察した本考案のロングアームタイプ臼歯アップライトスプリングの略図である。
【図１０】頬側から観察した本考案のロングアームタイプ臼歯アップライトスプリングの略図である。
【図１１】てこを歯の相隣面に設置する時の略図である。
【図１２】舌側溝レストをセットした状態図である。
【図１３】てこを犬歯に固定し、あまりの糸を切除する図である。
【図１４】盛り上がったエリアが噛み合わせを悪くする図である。
【図１５】カーブ成型ペンチで盛り上がったカーブエリアを押さえ、同時にアップライトスプリングを活性化する図である。
【図１６】盛り上がったエリアが消失した図である。
【図１７】活性化前の状態図である。
【図１８】活性化後の状態図である。
【図１９】臼歯を直立させた後の結果図である。
【図２０】埋没臼歯の治療前と治療後の図である。
【符号の説明】
【００２４】
1  ロングアームタイプ臼歯アップライトスプリング
11  舌側溝レスト
12  カーブ
13  頬側部品レスト
14  再活性化エリア
15  てこ
16  アーチ
21  結紮線
22  ステンレス
23  カーブ成型ペンチ
24  139号矯正ペンチ
25  139号矯正ペンチ
26  結紮ペンチ
27  糸切りペンチ
28  持針器
31  第二大臼歯
32  第三大臼歯
34  第二小臼歯
35  犬歯
120  本体部分
121  接触端
【図１】
0003140446.tif 000003
【図２】
0003140446.tif 000004
【図３】
0003140446.tif 000005
【図４】
0003140446.tif 000006
【図５】
0003140446.tif 000007
【図６】
0003140446.tif 000008
【図７】
0003140446.tif 000009
【図８】
0003140446.tif 000010
【図９】
0003140446.tif 000011
【図１０】
0003140446.tif 000012
【図１１】
0003140446.tif 000013
【図１２】
0003140446.tif 000014
【図１３】
0003140446.tif 000015
【図１４】
0003140446.tif 000016
【図１５】
0003140446.tif 000017
【図１６】
0003140446.tif 000018
【図１７】
0003140446.tif 000019
【図１８】
0003140446.tif 000020
【図１９】
0003140446.tif 000021
【図２０】
0003140446.tif 000022